【手続補正書】
【提出日】平成17年6月10日(2005.6.10)
【手続補正１】
【補正対象書類名】明細書
【補正対象項目名】全文
【補正方法】変更
【補正の内容】
【書類名】    明細書【発明の名称】  犬用携帯型糞便処理器具【特許請求の範囲】【請求項１】左右両側面下方の前後に主輪を装備し、上面が開口する器具本体と、ヒンジにて二つ折りの上面カバーと、二つ折りの上面カバーの後方部及び器具本体の底部にヒンジにて連結された後面カバーと、上面カバーに把手を装備して成り、把手を後方に引き倒すことによって、各々のカバーが後方に展開する様にしたことを特徴とする犬用携帯型糞便処理器具。  【請求項２】二つ折りの上面カバーのヒンジとカバー後方のヒンジの両側に、夫々補助輪を装備した事を特徴とする請求項１記載の犬用携帯型糞便処理器具。【請求項３】器具本体内部の底面、両側面、前方面及び後面カバーに沿って嵌め込まれた糞便収納箱を備えた事を特徴とする請求項１〜２記載の犬用携帯型糞便処理器具。【発明の詳細な説明】    【０００１】  【発明の属する技術分野】本発明は、犬が糞便をするのと同時に、その糞便を地面に落とすことなく、直に捕捉し処理する為の、所謂「並行処理方式」の携帯型糞便処理器具に関する。    【０００２】  【従来の技術】従来の糞便処理方法は、犬が糞便をした後で、ビニール袋等に手を入れて犬の糞便をつまみ取るか、或いはスコップ類ですくい取って、袋に入れて処理するのが主流であった。市販の糞便処理器具に関しても、種類が少ない上に、犬が糞便をした後で、その糞便を紙やビニール等で覆って挟み取るか、すくい取る方式のものが殆どで、多少の利便性はあるものの、器具に付いた糞便を拭き取ったり、手を使って糞便を処理する、といった問題は依然として残っており、更には携帯性やデザイン面でも、処理器具の域を越えた、犬の飼い主の購買意欲をそそる様な魅力ある器具が無いというのが実情である。    【０００３】  【発明が解決しようとする課題】従来の糞便の処理に際しては、糞便をつまみ取る時の何とも言えない感触、すくい取る時の不快感、そして道路等に付着した糞便を拭き取る面倒臭さ等の問題点があった。これらが、犬が排泄した後で糞便を処理する、所謂「事後処理方式」の代表的な欠点であり、犬の飼い主たちが糞便の後始末をしないで立ち去ってしまう最大の理由にもなっている。それ故に、これらの問題点を解消することが、糞便処理器具に求められる重要な課題だと言える。    【０００４】一方、「並行処理方式」による器具に関しても、少数ではあるが流布はしている。然しながら、「並行処理方式」の器具より不便であるにもかゝわらず、依然として「事後処理方式」の器具の方が主流であるのは、「並行処理方式」の既存の器具に、犬の飼主たちを満足させる様なデザイン性や操作性が欠如しているからで、故にこれらの諸問題を解決する糞便処理器具を提供する。    【０００５】  【課題を解決するための手段】主輪を装備した器具本体の上面カバーの前方部に湾曲した把手を取り付け、上面カバーのヒンジ夫々の両側に補助輪を装着する。更に、器具本体内に収納箱を格納し、上面カバーは携帯時、留め具と支持突起により器具本体に固定される構造を有した並行処理方式の携帯型糞便処理器具。    【０００６】  【発明の実施の形態】本発明は、迅速な操作性を実現する為に、器具の開閉の方法に独特の工夫を凝らしている。以下、本発明の実施の形態を示す図面に基づいて説明する。図１に示す如く、ヒンジ（４ａ）で屈曲する上面カバー前方部（２ａ）に把手（１）を取り付け、把手の支柱（１ａ）の上下部分を湾曲させた形状にする。尚、図に於いては、把手（１）は上面カバー前方部の上部に設けられているが、側部に二股式で固定するという方法も考えられる。    【０００７】図１の状態から図２に示す如く、上面カバー前方部（２ａ）は把手（１）を後ろに引き倒すと開口し、上面カバーの前方部及び後方部（２ａ、２ｂ）をそのまま後ろにスライドさせると、それに連動してヒンジ（４ａ、４ｂ）が屈曲して、後面カバー（５ａ）が器具本体（５）の底面、更には地上面に沿って展開し、開口部が十分に拡がる構造とする。    【０００８】ヒンジ（４ａ〜４ｃ）は、軸で連結する方法の他に、合成樹脂製品に多く使われている、厚みを薄くして折り曲げる様にした構造等が考えられる。    【０００９】また、器具本体の左右の側面下方の前後に主輪（６）を、上面カバーの両ヒンジ部夫々の両側に補助輪（３）を装備し、接地時に器具が可動する構造とする。    【００１０】本体カバーは器具本体の前方部でマグネット、ボール等を利用した留め具（１０ａ、１０ｂ）により、そして器具本体の両側面で支持突起（９ａ、９ｂ）により器具本体にしっかり固定させて、携帯時の揺れや振動に対しても、誤って本体カバーが開かないようにする。    【００１１】更に、器具本体に収納箱（７）を格納し、底面の収納箱固定座（８）を器具本体内部の収納箱固定座嵌め穴（１１）に入れることで、位置を微調整する為に器具を動かしても、収納箱がずれないようにする。【００１２】使用に際しては、専用の既製敷紙を始め、本発明の付属品とする敷紙作成用紙型を用いて新聞紙等で簡単に作ることが出来る自作の敷紙、又はティッシュ等を器具本体内の収納箱の内側に敷く。    【００１３】  【発明の効果】本発明は、犬が糞便をするのと並行して糞便を処理するので、従来の「事後処理方式」のように、糞便をつまみ取る時に不快な思いをしたり、道路等に付着した糞便を拭き取ったりする手間が掛からず、片手で簡便且つ衛生的に糞便を処理する事が出来る「並行処理方式」であり、更には同じ「並行処理方式」の器具にはない、下記の様な特徴を有している。    【００１４】請求項１により、把手を地面近くまで倒さなくても、上面カバーを完全に開口させることが出来るので、楽な姿勢で素早く操作出来る。即ち、前方及び後方本体カバーを二つに屈曲させるのは、把手と支点（ヒンジ４ａ）間の距離が短い程、より軽い力と少ない動きで済み、これにより、片手で素早く楽々と、本体カバー蓋を開けることが可能となる。また、把手の支柱の上下部分を湾曲させることで、把手と支点間の距離が更に短くなり、把手の位置がヒンジよりも後部になる為、より一層把手を後方に引き倒し易くなり、操作性が向上すると共に、器具本体の重心と把手を握る位置が、垂直線上でほぼ重なるので、器具を安定して携行することが出来る様になる。    【００１５】更に、地面上に倒した時に上面カバーが二つ折りになり、上面カバー前方部だけの高さになるので、犬がしゃがみ込んだ時に器具に触れたりすることも殆どなくなると共に、後ろから犬が糞便をする��況を確認し易くなる。それに加えて、上面カバーが折り曲がらないものに比べ、カバー展開時にカバーの高さを半分位に低く抑えることが出来る為、器具の全長を長くすることが出来るので、より一層糞便を捕捉し易くなる。    【００１６】請求項２により、主輪及び補助輪によって器具を水平移動させることが出来るので、犬の動きに伴って器具を持ち上げて移動させなくてもよく、然も補助輪によって地面と器具との間に適度な空間が生じる為、カバーにキズが付くのを防止してくれる効果が生まれる。    【００１７】請求項３により、収納箱ごと取り出して、捕捉した糞便を手早く処理出来るだけでなく、自宅で糞便をさせる時、収納箱だけを取り出して、その中に糞便をさせる習慣を犬に身に付けさせることで、散歩時に、より円滑に糞便を補足することが出来る様になると共に、延いては犬自身の躾にもなる効果も期待出来る。    【００１８】補足して、本発明をするに至った背景として、根強いペット・ブームの陰で、殆どの自治体や地域が犬の糞害に頭を痛めている。飼い主たちのマナーやモラルの低下が根本的な原因ではあるが、糞害を無くす為の試み、特に飼主側の視点に立った、飼主側に受け入れられ易い解決策（手段）が無かったことが、犬たちの糞害を助長していると言える。    【００１９】特に、そんな飼主たちが、是非使ってみたいと感じる器具―ペットの散歩時には必携しなければならないという様な強制意識からではなく、携帯して散歩に行きたくなる様な魅力ある器具を提供することで、「愛するペットとの散歩をより楽しく、快いものにして欲しい！！」というのが、本発明の願いである。    【００２０】  【図面の簡単な説明】    【図１】  本発明の斜視外観図である。    【図２】  本発明の斜視展開図である。    【００２１】    【符号の説明】１              把手１ａ            把手支柱部２ａ            上面カバー前方部２ｂ            上面カバー後方部３              補助輪４ａ〜ｃ        ヒンジ５              器具本体５ａ            後面カバー６              主輪７              収納箱（糞便受け）８              収納箱固定座９ａ、９ｂ      本体カバー蓋支持突起１０ａ、１０ｂ  留め具１１            収納箱固定座嵌め穴